(57)【要約】【課題】大画面表示が可能であり、しかも、携帯性、可搬性が高いフレキシブルマット型情報入力表示装置を提供する。【解決手段】フレキシブルマット型情報入力表示装置１０は、画像表示部と、２次元的指示位置入力部とから成る。画像表示部は、各種の情報や文字入力方法を表示可能な表示パネルであり、液晶表示装置やＥＬ表示装置、電子ペーパー表示装置などと呼ばれるフレキシブル表示装置のなかで任意の表示方式の表示装置が適用できる。２次元的指示位置入力部は、画像表示部の表面に重ね合わせて設けられたフレキシブルな素材で構成されたタッチパネルであり、画像表示部に表示した所望の対象を手指などで指示した際にその指示位置の位置情報を検出する。【選択図】        図１
2005018492.tif 000002
【特許請求の範囲】
【請求項１】
フレキシブルなマット状の画像および入力指示情報を表示する表示手段と、前記フレキシブルなマット状の画像表示手段のフレキシビリティを阻害しない２次元的指示位置入力手段とを備えたことを特徴とするフレキシブルマット型情報入力表示装置。
【請求項２】
画像および入力指示情報を表示する前記フレキシブルなマット状の表示手段の表示画面に、提示しようとする画像情報とともに、前記２次元的指示位置入力手段による入力・指示操作を促す情報を表示するようにしたことを特徴とする請求項１記載のフレキシブルマット型情報入力表示装置。
【請求項３】
前記フレキシブルなマット状の画像および入力指示情報表示手段と、前記フレキシブルなマット状の表示手段のフレキシビリティを阻害しない２次元的指示位置入力手段とを備えた形態のまま円筒状に丸めて収納するようにしたことを特徴とする請求項１記載のフレキシブルマット型情報入力表示装置。
【請求項４】
前記フレキシブルなマット状の画像および入力指示情報表示手段と、前記フレキシブルなマット状の表示手段のフレキシビリティを阻害しない２次元的指示位置入力手段とを備えた形態のまま折りたたむことにより、小さく収納できるようにしたことを特徴とする請求項１記載のフレキシブルマット型情報入力表示装置。
【請求項５】
前記フレキシブルなマット状の画像および入力指示情報を表示する表示手段にキーボードに対応した画像を表示面全面に表示し、前記２次元的指示位置入力手段からの位置信号をその位置に表示されたキーに対応した文字・記号情報に対応させていることを特徴とする請求項１記載のフレキシブルマット型情報入力表示装置。
【請求項６】
前記フレキシブルなマット状の画像および入力指示情報を表示する表示手段にキーボードに対応した画像を表示面の一部に表示し、また随意の位置に移動して他の画像情報を見ながら前記キーボードを操作できるような配置を可能とし、前記２次元的指示位置入力手段からの位置信号をその位置に表示されたキーに対応した文字・記号情報に対応させていることを特徴とする請求項１記載のフレキシブルマット型情報入力表示装置。
【請求項７】
フレキシブルなマット状の画像および入力指示情報を表示する表示手段と、前記フレキシブルなマット状の画像表示手段のフレキシビリティを阻害しない２次元的指示位置入力手段とを備え、前記フレキシブルなマット状の画像および入力指示情報を表示する表示手段にキーボードに対応した画像を表示面全面に表示し、前記２次元的指示位置入力手段からの位置信号をその位置に表示されたキーに対応した文字・記号情報に対応させており、さらに画像表示面以外に印刷されたプリント配線盤上に各種の情報処理を行うＣＰＵ、各種の入出力の接続制御部、ＣＰＵの制御プログラムや処理経過等を記憶するメモリ、それらの間の電気信号を制御するバス制御部、それらや入力表示装置に電源を供給するための電源部などを配置したフレキシブルマット型情報入力表示装置を含むことを特徴とするフレキシブルマット型情報処理装置。
【請求項８】
フレキシブルなマット状の画像および入力指示情報を表示する表示手段と、前記フレキシブルなマット状の画像表示手段のフレキシビリティを阻害しない２次元的指示位置入力手段とを備え、前記フレキシブルなマット状の画像および入力指示情報を表示する表示手段にキーボードに対応した画像を表示面の一部に表示し、また随意の位置に移動して他の画像情報を見ながら前記キーボードを操作できるような配置を可能とし、前記２次元的指示位置入力手段からの位置信号をその位置に表示されたキーに対応した文字・記号情報に対応させており、さらに画像表示面以外に印刷されたプリント配線盤上に各種の情報処理を行うＣＰＵ、各種の入出力の接続制御部、ＣＰＵの制御プログラムや処理経過等を記憶するメモリ、それらの間の電気信号を制御するバス制御部、それらや情報入力表示装置に電源を供給するための電源部などを配置したフレキシブルマット型情報入力表示装置を含むことを特徴とするフレキシブルマット型情報処理装置。
【発明の詳細な説明】
【０００１】
【発明の技術分野】
本発明はフレキシブルマット型情報入力表示装置およびフレキシブルマット型情報処理装置に関し、特に情報システムの使用者が情報システムに入力・指示を与えたり、それにより所望の情報を引き出して画像情報として表示したりするフレキシブルマット型情報入力表示装置およびフレキシブルマット型情報処理装置に関する。
【０００２】
【従来の技術】
従来、情報の入力・指示・表示のための装置として、キーボード、マウスやタブレットなどの入力・指示操作装置とＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｅｖｉｃｅ）などによる画像表示装置とを組み合わせた構成、すなわち、入力・指示操作部と情報表示部とが分離された形態が主流であった。また、２次元的な位置を指示するタブレットとしてのタッチパネルを表示装置の画面に重ね合わせて配置し、情報表示部と入力・指示部とを同一視野となるようにしたタッチパネル型ディスプレイなども広く普及している。
【０００３】
図７は、従来の情報処理装置の概略構成を示すブロック図である。
【０００４】
図７において、１は各種の情報処理を行うプロセッサ部（ＣＰＵ；Ｃｅｎｔｒａｌ  Ｐｒｏｃｅｓｓｉｎｇ  Ｕｎｉｔ）、２は各種の周辺装置の接続・制御部であり、ディスク装置、メモリカード、プリンタ、イメージスキャナ、回線接続・制御装置など様々な装置との接続制御を行う。
【０００５】
３は、ＣＰＵ１の制御プログラムや処理経過などを記憶するメモリである。
【０００６】
ＣＰＵ１、周辺装置の接続・制御部２、メモリ３により情報処理装置本体４が構成される。
【０００７】
５は、オペレータに対し、情報処理の経過状況や装置類の状態を画像や文字を使って提示する表示装置であり、ＣＲＴやＬＣＤなどで構成される。
【０００８】
６は、オペレータによって所望の情報処理に必要な入力操作が行われる入力装置であり、キーボードやマウス、タブレットなどで構成される。
【０００９】
ところで、従来の情報処理装置では、機器の入力・指示操作部は、人間の手や指の大きさの制限から操作性を損なうことなく小型化できる範囲には自ずと限界がある。表示画面にタブレットを重畳し、入力操作部を表示画面上に構成したタッチパネルディスプレイ型の情報入力・表示装置では、入力・指示機能をプログラムにより柔軟に設定・変更ができることもあり、分離型の構成に比べ装置全体として小型にできる。
【００１０】
一方、近年、情報システムを、固定されたオフィスでのみではなく、いろいろな場所に移動して使用する必要性が高まっている。そして、大面積の画像情報の表示や多くの情報を同時に表示したりするために表示画面の大面積化が必要とされている。このため、大画面表示を実現しながら携帯性、可搬性が高い入力・指示・表示装置の実現が望まれている。
【００１１】
【発明が解決しようとする課題】
しかしながら、上述した従来の技術では、これらの要件を満足できる入力・指示・表示装置は実現されていないという課題があった。
【００１２】
本発明の目的は、大画面表示が可能であり、しかも、携帯性、可搬性が高いフレキシブルマット型情報入力表示装置を提供することにある。
【００１３】
また、本発明の他の目的は、上記フレキシブルマット型情報処理装置を備えるフレキシブルマット型情報処理装置を提供することにある。
【００１４】
【課題を解決するための手段】
本発明のフレキシブルマット型情報入力表示装置は、フレキシブルなマット状の画像および入力指示情報を表示する表示手段と、前記フレキシブルなマット状の画像表示手段のフレキシビリティを阻害しない２次元的指示位置入力手段とを備えたことを特徴とする。
【００１５】
また、本発明のフレキシブルマット型情報入力表示装置は、画像および入力指示情報を表示する前記フレキシブルなマット状の表示手段の表示画面に、提示しようとする画像情報とともに、前記２次元的指示位置入力手段による入力・指示操作を促す情報を表示するようにしたことを特徴とする。
【００１６】
さらに、本発明のフレキシブルマット型情報入力表示装置は、前記フレキシブルなマット状の画像および入力指示情報表示手段と、前記フレキシブルなマット状の表示手段のフレキシビリティを阻害しない２次元的指示位置入力手段とを備えた形態のまま円筒状に丸めて収納するようにしたことを特徴とする。
【００１７】
さらにまた、本発明のフレキシブルマット型情報入力表示装置は、前記フレキシブルなマット状の画像および入力指示情報表示手段と、前記フレキシブルなマット状の表示手段のフレキシビリティを阻害しない２次元的指示位置入力手段とを備えた形態のまま折りたたむことにより、小さく収納できるようにしたことを特徴とする。
【００１８】
また、本発明のフレキシブルマット型情報入力表示装置は、前記フレキシブルなマット状の画像および入力指示情報を表示する表示手段にキーボードに対応した画像を表示面全面に表示し、前記２次元的指示位置入力手段からの位置信号をその位置に表示されたキーに対応した文字・記号情報に対応させていることを特徴とする。
【００１９】
さらに、本発明のフレキシブルマット型情報入力表示装置は、前記フレキシブルなマット状の画像および入力指示情報を表示する表示手段にキーボードに対応した画像を表示面の一部に表示し、また随意の位置に移動して他の画像情報を見ながら前記キーボードを操作できるような配置を可能とし、前記２次元的指示位置入力手段からの位置信号をその位置に表示されたキーに対応した文字・記号情報に対応させていることを特徴とする。
【００２０】
一方、本発明のフレキシブルマット型情報処理装置は、フレキシブルなマット状の画像および入力指示情報を表示する表示手段と、前記フレキシブルなマット状の画像表示手段のフレキシビリティを阻害しない２次元的指示位置入力手段とを備え、前記フレキシブルなマット状の画像および入力指示情報を表示する表示手段にキーボードに対応した画像を表示面全面に表示し、前記２次元的指示位置入力手段からの位置信号をその位置に表示されたキーに対応した文字・記号情報に対応させており、さらに画像表示面以外に印刷されたプリント配線盤上に各種の情報処理を行うＣＰＵ、各種の入出力の接続制御部、ＣＰＵの制御プログラムや処理経過等を記憶するメモリ、それらの間の電気信号を制御するバス制御部、それらや入力表示装置に電源を供給するための電源部などを配置したフレキシブルマット型情報入力表示装置を含むことを特徴とする。
【００２１】
また、本発明のフレキシブルマット型情報処理装置は、フレキシブルなマット状の画像および入力指示情報を表示する表示手段と、前記フレキシブルなマット状の画像表示手段のフレキシビリティを阻害しない２次元的指示位置入力手段とを備え、前記フレキシブルなマット状の画像および入力指示情報を表示する表示手段にキーボードに対応した画像を表示面の一部に表示し、また随意の位置に移動して他の画像情報を見ながら前記キーボードを操作できるような配置を可能とし、前記２次元的指示位置入力手段からの位置信号をその位置に表示されたキーに対応した文字・記号情報に対応させており、さらに画像表示面以外に印刷されたプリント配線盤上に各種の情報処理を行うＣＰＵ、各種の入出力の接続制御部、ＣＰＵの制御プログラムや処理経過等を記憶するメモリ、それらの間の電気信号を制御するバス制御部、それらや情報入力表示装置に電源を供給するための電源部などを配置したフレキシブルマット型情報入力表示装置を含むことを特徴とする。
【００２２】
本発明では、まず、入力・指示操作部を表示画面に重畳したタッチパネル型とし、入力・指示操作の機能を画面上にプログラム制御によって切り替え表示するようにした。さらに、表示画面およびそれに重ね合わせるタブレットを可撓性を有するフレキシブルなマット状に構成し、使用時には机やその他の平面上に広げられ、携帯や移動時には、折りたたむか、あるいは、ロール状に丸めることができるような構成とした。
【００２３】
入力・指示操作部を表示画面に重ね合わせたタッチパネル型とし、入力・指示操作の機能を画面上にプログラム制御で切り替え表示するようにしたことにより、入力・指示操作部と画像表示部とを切り離して構成した分離型における小型化・携帯性向上の困難さを回避できる。さらに、表示画面およびそれに重ね合わせるタブレットを可撓性を有するフレキシブルなマット状に構成した。これによって、使用する場合には机上やその他の平面上などに広げることにより、大画面表示を可能にし、しかも操作性を損なわない大きさの入力・指示操作部を構成できる。また、別の場所に移動する場合や、鞄などに納めて携帯する場合には、マット状の入力・表示画面を折りたたむか、あるいは、ロール状に丸めることによって、移動や収納が極めて容易となる。
【００２４】
【発明の実施の形態】
以下、図面を参照して本発明に係る実施の形態を詳細に説明する。
【００２５】
図１は、本発明の第１の実施の形態に係る情報処理装置の概略構成を示すブロック図である。
【００２６】
図１において、７は各種の情報処理を行うプロセッサ部（ＣＰＵ）、８は各種の周辺装置の接続・制御部であり、ディスク装置、メモリカード、プリンタ、イメージスキャナ、回線接続・制御装置など様々な装置との接続制御を行う。
【００２７】
９は、ＣＰＵ７の制御プログラムや処理経過などを記憶するメモリである。
【００２８】
１０は、本発明によるフレキシブルマット型情報入力表示装置であり、画像表示部と、２次元的指示位置入力部とから成る。
【００２９】
この画像表示部は、各種の情報や文字入力方法を表示可能な表示パネルであり、液晶表示装置やＥＬ（ＥＬｅｃｔｒＬｕｍｉｎｅｓｃｅｎｃｅ）表示装置、電子ペーパー表示装置などと呼ばれるフレキシブル表示装置のなかで任意の表示方式の表示装置が適用できる。
【００３０】
また、この２次元的指示位置入力部は、画像表示部の表面に重ね合わせて設けられたフレキシブルな素材で構成されたタッチパネルであり、画像表示部に表示した所望の対象を手指などで指示した際にその指示位置の位置情報を検出し、ＣＰＵ７に通知するためのものである。
【００３１】
ＣＰＵ７、周辺装置の接続・制御部８、メモリ９、およびフレキシブルマット型情報入力表示装置１０により、フレキシブルマット型情報処理装置１１が構成される。
【００３２】
図２は、本発明の第１の実施の形態に係るフレキシブルマット型情報入力表示装置１０の入力表示部断面の模式図の一例であり、指示位置入力手段に抵抗膜方式のタッチパネルを使用した場合の例である。
【００３３】
図２において、１２は指示位置入力手段、１３は画像情報表示手段、１４は指示位置入力手段１２の指あるいはペンなどの棒状のものによって触れる接触面を構成し、下面に縦あるいは横位置検出用電極である導電性薄膜１５を備えるＰＥＴ（ポリエチレンテレフタレート）フィルムなどのフレキシブル素材からなるマット、１６は上面に横あるいは縦位置検出用電極である導電性薄膜１７を備えるＰＥＴフィルムなどのフレキシブル素材からなるマット、１８は上側の導電性薄膜１５と下側の導電性薄膜１７とを互いに接触しないように分離しておくためのスペーサであり、１４，１５，１６，１７，１８は抵抗膜方式のタッチパネルを構成する。１９および２０は上側の導電性薄膜の電極、２１および２２は下側の導電性薄膜の電極である。なお、図では便宜上、上下の電極を対向して描いたが、実際は１９−２０と２１−２２とは直交する配置となる。
【００３４】
一般的な抵抗膜方式のタッチパネルのベースとなるマット１６の素材には硬質ガラスが用いられることが多いが、ここではフレキシビリティを阻害するため用いない。
【００３５】
図２に示したフレキシブルマット型情報入力表示装置１０の動作を、指示位置入力手段１２に抵抗膜方式のタッチパネルを使用した一例として説明する。
【００３６】
導電性薄膜は、単位長さ当たり一定の抵抗値を持っている。いま、導電性薄膜１５の電極１９，２０間に一定直流電圧Ｖを印加する。このとき、画像情報表示手段１３に表示された情報に従って、指あるいはペンなどの棒状のもので接触面１４を押下すると導電性薄膜１５と導電性薄膜１７とが接触するため、印加されていない下側の導電性薄膜１７に電圧が生じる。この下側の導電性薄膜１７の電極２１，２２における測定電圧をＶ１とすると、Ｖ１は上側の導電性薄膜１５の電極１９または２０から接触点までの抵抗値によって決まる。そこで電極１９，２０間の抵抗値をＲ、電極１９から接触点までの抵抗値をＲ１とすると、下式で表される。
【００３７】
Ｖ１＝Ｖ・Ｒ１／Ｒ
【００３８】
ここで、抵抗値Ｒおよび抵抗値Ｒ１は、電極１９，２０間の距離Ｌおよび電極１９から接触点までの距離Ｌ１に置き換えることができる。これにより上式は、下式となり、印加側の導電性薄膜１５上の接触位置が算出できる。
【００３９】
Ｌ１＝Ｌ・Ｖ１／Ｖ
【００４０】
次に、下側の導電性薄膜１７に直流電圧を印加して同様に接触位置を算出する。
【００４１】
電圧は上側の導電性薄膜１５には縦（あるいは横）方向に、下側の導電性薄膜１７には上側の導電性薄膜１５と直交方向に、一定時間周期で導電性薄膜１５と導電性薄膜１７とに交互に印加を繰り返す。これより上側の導電性薄膜１５の接触位置を縦（あるいは横）方向、下側の導電性薄膜１７の接触位置を横（あるいは縦）方向の位置データとして取得できる。
【００４２】
これらのデータに対し、ＣＰＵ７において所望の情報処理を施すことにより、これらの位置データは、クリック、ダブルクリック、ドラッグ、アイコンの指定などの特定の情報として扱うことが可能となる。
【００４３】
なお、本発明において指示位置入力手段１２を抵抗膜方式に限定するものではない。
【００４４】
また、画像情報表示手段１３として有機ＥＬ方式などのフレキシブルなディスプレイ装置を使用する。
【００４５】
図３は、本発明に従って作成したフレキシブルマット型情報入力表示装置３０と、フレキシブルマット型情報入力表示装置３０の格納部を備えた情報処理装置本体３１とを接続して、ひとつのフレキシブルマット型情報処理装置とした概観図の一例である。
【００４６】
図３において、３０は本発明に従って作成したフレキシブルマット型情報入力表示装置であり、薄型でフレキシブルな素材で構成されており、画像表示部と２次元的指示位置入力部とから成る。この画像表示部には、液晶表示装置や有機ＥＬ表示装置、その他フレキシブル表示装置のなかで任意の表示方式の表示装置が適用できる。また、２次元的指示位置入力部は、画像表示部の表面に重ね合わせて設けられたフレキシブルな素材で構成されたタッチパネルである。
【００４７】
図３に示すように、フレキシブルマット型情報入力表示装置３０は、携帯・収納時は円筒状にまるめて情報処理装置本体３１の格納部に収めることができ、携帯、運搬および収納に利便性を持っており、かつ使用時には広げて大面積表示が可能である。
【００４８】
３１は、各種の情報処理を行うプロセッサ部（ＣＰＵ）７、各種の周辺装置の接続・制御部８、ＣＰＵ７の制御プログラムや処理経過等を記憶するメモリ９、それらやフレキシブルマット型情報入力表示装置３０に電源を供給するための電源部などを搭載した情報処理装置本体である。
【００４９】
３２は、キーボードの代わりに、フレキシブルマット型情報入力表示装置３０の表示面の一部に表示した文字入力用に使用するための文字入力用ソフトウェアキーボードの一例である。
【００５０】
図４は、ＱＷＥＲＴＹ配列キーパネルのグラフィカルユーザインタフェース（ＧＵＩ）を有する文字入力用ソフトウェアキーボード３２の例を示す。
【００５１】
図５は、５０音配列の日本語配列キーパネルのグラフィカルユーザインタフェース（ＧＵＩ）を有する文字入力用ソフトウェアキーボード３２の例を示す。なお、その他にも、各国語に対応させて様々に工夫したソフトウェアキーボードが使用できることはいうまでもない。
【００５２】
また、図３の実施の形態の他に、図６に示すような実施の形態でもよい。
【００５３】
図６は、本発明に従って作成したフレキシブルマット型情報入力表示装置４０と、小型薄型化した情報処理装置本体４１とを一体成型して、ひとつのフレキシブルマット型情報処理装置とした概観図の一例であり、図１に示したブロック図に対応するものである。
【００５４】
図６において、４０は本発明に従って作成したフレキシブルマット型情報入力表示装置であり、薄型でフレキシブルな素材で構成されており、画像表示部と２次元的指示位置入力部とから成る。この画像表示部には、液晶表示装置やＥＬ表示装置、その他フレキシブル表示装置のなかで任意の表示方式の表示装置が適用できる。また、２次元的指示位置入力部は、画像表示部の表面に重ね合わせて設けられたフレキシブルな素材で構成されたタッチパネルである。
【００５５】
４１は、情報表示面以外の、例えば裏面に印刷したプリント配線基板上に、各種の情報処理を行うプロセッサ部（ＣＰＵ）７、各種の入出力の接続・制御部８、ＣＰＵ７の制御プログラムや処理経過等を記憶するメモリ９、それらの間の電気信号を制御するバス制御部、それらやフレキシブルマット型情報入力表示装置４０に電源を供給するための電源部などを搭載した情報処理装置本体である。
【００５６】
４２は、図３の文字入力用ソフトウェアキーボード３２と同様に、フレキシブルマット型情報入力表示装置４０の表示面の一部に表示した文字入力用に使用するための文字入力用ソフトウェアキーボードの一例である。
【００５７】
図６に示すように、フレキシブルマット型情報入力表示装置４０は、携帯・収納時は情報処理装置本体４１とともに円筒状にまるめることにより、携帯、運搬および収納に利便性を持っており、かつ使用時には広げて大面積表示が可能である。
【００５８】
図６の文字入力用ソフトウェアキーボード４２でも、図３の文字入力用ソフトウェアキーボード３２と同様に、図４に示したＱＷＥＲＴＹ配列キーパネルのグラフィカルユーザインタフェースのソフトウェアキーボードや、図５に示した５０音配列の日本語配列キーパネルのグラフィカルユーザインタフェースのソフトウェアキーボードが使用できる他、各国語に対応させて様々に工夫したソフトウェアキーボードが使用できる。
【００５９】
【発明の効果】
以上に説明したように本発明によれば、従来の情報入力表示装置に比べてより軽量かつ収納性・携帯性が高まり可搬性に優れたフレキシブルマット型情報入力表示装置が提供できる。すなわち、入力・表示部がフレキシブルなマット状であるため、使用時には大面積表示が可能でありながらも、携帯時および収納時には筒状に丸めることで携帯性、可搬性を高められる。
【００６０】
また、本発明によるフレキシブルマット型情報入力表示装置にキーボードに対応した画像を表示して情報処理装置の入力装置および表示装置として使用することにより、情報処理装置本体にキーボードやマウスその他の入力装置およびＣＲＴやＬＣＤ等の表示装置を設けなくとも良いため、情報処理装置全体の大幅な小型化・軽量化が可能となり、随意な時に随意な場所で広げて文書入力をはじめとする情報の入力や情報検索などの情報処理操作を効率良く行える。
【００６１】
本発明に従って作成したフレキシブルマット型情報入力表示装置は、フレキシブルマット型情報処理装置にはもちろんのこと、テレビジョン端末や店舗におけるオーダー用端末、その他非常に広範に利用することができる。
【図面の簡単な説明】
【図１】本発明の実施の形態に係るフレキシブルマット型情報処理装置の概略構成を示すブロック図である。
【図２】本発明の実施の形態に係るフレキシブルマット型情報入力表示装置の入力表示部断面の模式図である。
【図３】第１の実施の形態に係るフレキシブルマット型情報入力表示装置と情報処理装置本体とを一体にして、ひとつのフレキシブルマット型情報処理装置としたものの概観図である。
【図４】ＱＷＥＲＴＹ配列キーパネルのグラフィカルユーザインタフェースを有する文字入力用ソフトウェアキーボードの例を示す図である。
【図５】５０音配列の日本語配列キーパネルのグラフィカルユーザインタフェースを有する文字入力用ソフトウェアキーボードの例を示す図である。
【図６】第２の実施の形態に係るフレキシブルマット型情報入力表示装置と情報処理装置本体とを一体成型して、ひとつのフレキシブルマット型情報処理装置としたものの概観図である。
【図７】従来の一般的な情報処理装置の概略構成を示すブロック図の一例である。
【符号の説明】
７  プロセッサ部（ＣＰＵ）
８  各種周辺装置の接続・制御部
９  メモリ
１０  フレキシブルマット型情報入力表示装置
１１  情報処理装置本体
１２  指示位置入力手段
１３  画像情報表示手段
１４  フレキシブルマット
１５  導電性薄膜
１６  フレキシブルマット
１７  導電性薄膜
１８  スペーサ
１９，２０  上側の導電性薄膜の電極
２１，２２  下側の導電性薄膜の電極
３０  フレキシブルマット型情報入力表示装置
３１  情報処理装置本体
３２  文字入力用ソフトウェアキーボード
４０  フレキシブルマット型情報入力表示装置
４１  情報処理装置本体
４２  文字入力用ソフトウェアキーボード
【図１】
2005018492.tif 000003
【図２】
2005018492.tif 000004
【図３】
2005018492.tif 000005
【図４】
2005018492.tif 000006
【図５】
2005018492.tif 000007
【図６】
2005018492.tif 000008
【図７】
2005018492.tif 000009